(57)【特許請求の範囲】
【請求項１】
利用者を被写体として撮影を行う撮影手段と、
前記利用者による撮影時とは異なる写りの選択を受付可能とする再選択受付手段と、
前記撮影手段による撮影によって得られた複数の撮影画像の中から前記利用者により選択された１枚の前記撮影画像から構成され、前記利用者により選択された形状を有する第１の画像と、前記利用者により選択された複数枚の前記撮影画像から構成され、前記利用者により選択された形状と前記撮影画像の配置とを有する第２の画像のうちの少なくともいずれかの画像を前記撮影画像に基づいて生成する生成手段と、
前記第１の画像と前記第２の画像のうちの少なくともいずれかの画像を、ウェブサイトに掲載するために用いられる画像として生成する場合、それぞれ形状の異なる前記第１の画像をウェブサイトに掲載したときのイメージを表す複数のサンプル画像と、それぞれ形状と前記撮影画像の配置とが異なる前記第２の画像をウェブサイトに掲載したときのイメージを表す複数のサンプル画像とを含む選択画面を表示する表示制御手段と、
前記生成手段により生成された画像を送信する送信手段と
を備え、
前記生成手段は、前記選択画面に対する前記利用者の選択に従って、前記第１の画像と前記第２の画像のうちの少なくともいずれかの画像を生成し、
前記第１の画像が生成される場合、
前記再選択受付手段は、表示部に並べて表示される、それぞれ異なる写りの前記第１の画像が前記利用者に選択されることにより、撮影時とは異なる写りの選択を受け付け、
前記生成手段は、前記利用者により前記表示部に並べて表示される前記第１の画像のいずれかが選択された場合、前記利用者に選択された前記第１の画像の写りに応じて、前記第１の画像を生成する
写真シール作成装置。
【請求項２】
前記第１の画像および前記第２の画像は、ウェブサイトに掲載するために用いられる画像、または携帯端末の待ち受け画面に表示するために用いられる画像である
請求項１に記載の写真シール作成装置。
【請求項３】
前記撮影画像をシール紙に印刷する印刷手段をさらに備え、
前記生成手段は、前記撮影画像の印刷が前記印刷手段により行われているときに前記利用者により行われた操作に従って、前記第１の画像と前記第２の画像のうちの少なくともいずれかの画像を生成する
請求項１または２に記載の写真シール作成装置。
【請求項４】
利用者を被写体として撮影を行い、
前記利用者による撮影時とは異なる写りの選択を受付可能とし、
撮影によって得られた複数の撮影画像の中から前記利用者により選択された１枚の前記撮影画像から構成され、前記利用者により選択された形状を有する第１の画像と、前記利用者により選択された複数枚の前記撮影画像から構成され、前記利用者により選択された形状と前記撮影画像の配置とを有する第２の画像のうちの少なくともいずれかの画像を前記撮影画像に基づいて生成し、
前記第１の画像と前記第２の画像のうちの少なくともいずれかの画像を、ウェブサイトに掲載するために用いられる画像として生成する場合、それぞれ形状の異なる前記第１の画像をウェブサイトに掲載したときのイメージを表す複数のサンプル画像と、それぞれ形状と前記撮影画像の配置とが異なる前記第２の画像をウェブサイトに掲載したときのイメージを表す複数のサンプル画像とを含む選択画面を表示し、
生成した画像を送信する
ステップを含み、
前記ステップは、前記選択画面に対する前記利用者の選択に従って、前記第１の画像と前記第２の画像のうちの少なくともいずれかの画像を生成し、前記第１の画像が生成される場合、表示部に並べて表示される、それぞれ異なる写りの前記第１の画像が前記利用者に選択されることにより、撮影時とは異なる写りの選択を受け付け、前記利用者により前記表示部に並べて表示される前記第１の画像のいずれかが選択された場合、前記利用者に選択された前記第１の画像の写りに応じて、前記第１の画像を生成する
処理方法。
【発明の詳細な説明】
【技術分野】
【０００１】
本発明は、写真シール作成装置および処理方法に関し、特に、写真シール作成装置で撮影して得られた撮影画像に基づいて生成した画像を携帯端末に送信する場合において、携帯端末に送信するための画像を、より効率的に、かつより高い自由度で生成することができるようにした写真シール作成装置および処理方法に関する。
【背景技術】
【０００２】
利用者を撮影し、撮影画像に対して利用者に編集を行わせ、編集後の画像をシール紙に印刷して提供する写真シール作成装置が知られている。このような写真シール作成装置は娯楽（遊戯）施設等に設置される。
【０００３】
写真シール作成装置によって提供される１ゲームの流れは、通常、撮影ブース内にいる利用者を被写体として撮影し、利用者を編集ブースに移動させ、編集ブース内で行われる操作に従って画像を編集し、編集後の画像である編集画像をシール紙に印刷して排出するという流れになる。
【０００４】
近年、携帯電話機などの携帯端末の性能が向上していることもあって、写真シール作成装置と携帯端末を連動させた付加的なサービスが各種提供されている。例えば、写真シール作成装置から携帯端末に対して撮影画像や編集画像を直接転送するサービスや、写真シール作成装置からサーバに撮影画像や編集画像をアップロードしておき、後から、携帯端末を用いて写真シール作成装置のメーカーが運営するサイトにアクセスすることにより、アップロードしておいた画像を閲覧したり、携帯端末にダウンロードしたりすることができるサービスがある。
【０００５】
これらのサービスの利用者の中には、例えばダウンロードした画像を携帯端末の待ち受け画面に表示されるように設定して個人で楽しむ利用者だけでなく、個人や数人のグループにより日々更新される日記のようなウェブページである、いわゆるブログ（ウェブログ）に写真シール作成装置で遊んだ思い出として画像を掲載して公開する利用者や、個人の紹介をするウェブページであるいわゆるプロフに、名刺のように使用する目的でプロフィール用画像として掲載して公開する利用者がいる。
【０００６】
特許文献１には、写真シール作成装置で得た複数の編集画像を組み合わせることによって１枚の画像を作成し、作成した画像をサーバに送信して保存する技術が開示されている。サーバに保存された画像は、携帯端末からの要求に応じてダウンロードされ、例えば待ち受け画像として利用される。
【０００７】
特許文献２には、写真シール作成装置で得た１枚の撮影画像の特定領域を切り出して（トリミングして）画像を作成し、作成した画像をサーバに送信して保存する技術が開示されている。サーバに保存された画像は、携帯端末からの要求に応じてダウンロードされ、例えばプロフィール用画像として用いられる。
【０００８】
特許文献３には、写真撮影遊技機で得られた複数の編集画像を固定的なレイアウトで配置することによって二次的合成画像を自動的に作成し、作成した二次的合成画像を複数の編集画像とともにサーバに送信して保存する技術が開示されている。また、携帯端末からサーバにアクセスして二次的合成画像をダウンロードするとともに、携帯端末からサーバに二次的合成画像の作成を要求し、サーバ上で、アップロードされた複数の編集画像を基に新たな二次的合成画像を作成することも開示されている。
【先行技術文献】
【特許文献】
【０００９】
【特許文献１】特開２０１０−１５４４５３号公報
【特許文献２】特開２０１０−１５４４５２号公報
【特許文献３】特開２０１０−２４３５８９号公報
【発明の概要】
【発明が解決しようとする課題】
【００１０】
特許文献１に開示されている技術によれば、携帯端末の待ち受け画面に表示して個人的に楽しむことを目的として画像の作成が行われているため、作成した画像を例えばプロフに掲載することができない。
【００１１】
また、特許文献２に開示されている技術によれば、個人プロフィール用画像として使用する目的で画像の作成が行われているため、作成した画像を例えばブログに掲載することができない。すなわち、ブログに掲載したい利用者にとっては、画像を満足する形で使うことができない。
【００１２】
特許文献３に開示されている技術によれば、二次的合成画像をブログに掲載したりすることができるものの、二次的合成画像は固定的なレイアウトで自動的に作成されるものであるため、二次的合成画像の元になった画像やレイアウトが気に入らない場合には、利用者の満足度が低下してしまうことになる。そのような問題を解決するために携帯端末を操作して二次的合成画像を後から作成することができるようになっているものの、その操作を携帯端末の画面上で行わなければならないため、画面が小さく操作しにくい。
【００１３】
本発明はこのような状況に鑑みてなされたものであり、写真シール作成装置で撮影して得られた撮影画像に基づいて生成した画像を携帯端末に送信する場合において、携帯端末に送信するための画像を、より効率的に、かつより高い自由度で生成することができるようにするものである。
【課題を解決するための手段】
【００１４】
本発明の一側面の写真シール作成装置は、利用者を被写体として撮影を行う撮影手段と、
前記利用者による撮影時とは異なる写りの選択を受付可能とする再選択受付手段と、
前記撮影手段による撮影によって得られた複数の撮影画像の中から前記利用者により選択された１枚の前記撮影画像から構成され、前記利用者により選択された形状を有する第１の画像と、前記利用者により選択された複数枚の前記撮影画像から構成され、前記利用者により選択された形状と前記撮影画像の配置とを有する第２の画像のうちの少なくともいずれかの画像を前記撮影画像に基づいて生成する生成手段と、前記第１の画像と前記第２の画像のうちの少なくともいずれかの画像を、ウェブサイトに掲載するために用いられる画像として生成する場合、それぞれ形状の異なる前記第１の画像をウェブサイトに掲載したときのイメージを表す複数のサンプル画像と、それぞれ形状と前記撮影画像の配置とが異なる前記第２の画像をウェブサイトに掲載したときのイメージを表す複数のサンプル画像とを含む選択画面を表示する表示制御手段と、前記生成手段により生成された画像を送信する送信手段とを備え、前記生成手段は、前記選択画面に対する前記利用者の選択に従って、前記第１の画像と前記第２の画像のうちの少なくともいずれかの画像を生成し、前記第１の画像が生成される場合、前記再選択受付手段は、表示部に並べて表示される、それぞれ異なる写りの前記第１の画像が前記利用者に選択されることにより、撮影時とは異なる写りの選択を受け付け、前記生成手段は、前記利用者により前記表示部に並べて表示される前記第１の画像のいずれかが選択された場合、前記利用者に選択された前記第１の画像の写りに応じて、前記第１の画像を生成する。
【００１５】
前記第１の画像および前記第２の画像は、ウェブサイトに掲載するために用いられる画像、または携帯端末の待ち受け画面に表示するために用いられる画像であるようにすることができる。
【００１６】
前記撮影画像をシール紙に印刷する印刷手段をさらに設けることができる。この場合、前記生成手段には、前記撮影画像の印刷が前記印刷手段により行われているときに前記利用者により行われた操作に従って、前記第１の画像と前記第２の画像のうちの少なくともいずれかの画像を生成させることができる。
【００１８】
本発明の一側面の処理方法は、利用者を被写体として撮影を行い、前記利用者による撮影時とは異なる写りの選択を受付可能とし、撮影によって得られた複数の撮影画像の中から前記利用者により選択された１枚の前記撮影画像から構成され、前記利用者により選択された形状を有する第１の画像と、前記利用者により選択された複数枚の前記撮影画像から構成され、前記利用者により選択された形状と前記撮影画像の配置とを有する第２の画像のうちの少なくともいずれかの画像を前記撮影画像に基づいて生成し、前記第１の画像と前記第２の画像のうちの少なくともいずれかの画像を、ウェブサイトに掲載するために用いられる画像として生成する場合、それぞれ形状の異なる前記第１の画像をウェブサイトに掲載したときのイメージを表す複数のサンプル画像と、それぞれ形状と前記撮影画像の配置とが異なる前記第２の画像をウェブサイトに掲載したときのイメージを表す複数のサンプル画像とを含む選択画面を表示し、生成した画像を送信するステップを含み、前記ステップは、前記選択画面に対する前記利用者の選択に従って、前記第１の画像と前記第２の画像のうちの少なくともいずれかの画像を生成し、前記第１の画像が生成される場合、表示部に並べて表示される、それぞれ異なる写りの前記第１の画像が前記利用者に選択されることにより、撮影時とは異なる写りの選択を受け付け、前記利用者により前記表示部に並べて表示される前記第１の画像のいずれかが選択された場合、前記利用者に選択された前記第１の画像の写りに応じて、前記第１の画像を生成する。
【００１９】
本発明の一側面においては、利用者を被写体として撮影が行われ、利用者による撮影時とは異なる写りの選択が受付可能とされ、撮影によって得られた複数の撮影画像の中から利用者により選択された１枚の撮影画像から構成され、利用者により選択された形状を有する第１の画像と、利用者により選択された複数枚の撮影画像から構成され、利用者により選択された形状と撮影画像の配置とを有する第２の画像のうちの少なくともいずれかの画像が撮影画像に基づいて生成され、第１の画像と第２の画像のうちの少なくともいずれかの画像を、ウェブサイトに掲載するために用いられる画像として生成する場合、それぞれ形状の異なる第１の画像をウェブサイトに掲載したときのイメージを表す複数のサンプル画像と、それぞれ形状と撮影画像の配置とが異なる第２の画像をウェブサイトに掲載したときのイメージを表す複数のサンプル画像とを含む選択画面が表示され、生成された画像が送信される。選択画面に対する利用者の選択に従って、第１の画像と第２の画像のうちの第１の画像が生成される場合、表示部に並べて表示される、それぞれ異なる写りの第１の画像が利用者に選択されることにより、撮影時とは異なる写りの選択が受け付けられ、利用者により異なる写りの第１の画像のいずれかが選択された場合、利用者に選択された第１の画像の写りに応じて、第１の画像が生成される。
【発明の効果】
【００２０】
本発明によれば、写真シール作成装置で撮影して得られた撮影画像に基づいて生成した画像を携帯端末に送信する場合において、携帯端末に送信するための画像を、より効率的に、かつより高い自由度で生成することができる。
【図面の簡単な説明】
【００２１】
【図１】写真シール作成装置の構成例を示す斜視図である。
【図２】写真シール作成装置を他の角度からみた斜視図である。
【図３】利用者の移動について説明する図である。
【図４】撮影ユニットの前方ユニットの正面の構成例を示す図である。
【図５】編集ユニットの側面の構成例を示す図である。
【図６】編集ユニットの他の側面の構成例を示す図である。
【図７】写真シール作成装置の内部の構成例を示すブロック図である。
【図８】図７の制御部の機能構成例を示すブロック図である。
【図９】写真シール作成装置の写真シール作成ゲームを提供する処理について説明するフローチャートである。
【図１０】図９のステップＳ２において行われる事前接客処理について説明するフローチャートである。
【図１１】選択画面の例を示す図である。
【図１２】メールアドレスの入力画面の例を示す図である。
【図１３】図９のステップＳ４において行われる処理について説明するフローチャートである。
【図１４】図９のステップＳ４において行われる処理について説明する、図１３に続くフローチャートである。
【図１５】図９のステップＳ４において行われる処理について説明する、図１３に続くフローチャートである。
【図１６】撮影画像の編集画面の例を示す図である。
【図１７】図１３のステップＳ４２において行われるケータイおまけ作成処理について説明するフローチャートである。
【図１８】画像の種類の選択画面の例を示す図である。
【図１９】ブログサイトの選択画面の例を示す図である。
【図２０】ブログ画像の種類と形状の選択画面の例を示す図である。
【図２１】サンプル画像を拡大して示す図である。
【図２２】ブログ画像の種類と形状の選択画面の例を示す他の図である。
【図２３】トリミング画面の例を示す図である。
【図２４】トリミング画面の例を示す他の図である。
【図２５】トリミング画面の例を示すさらに他の図である。
【図２６】写りの種類の選択画面の例を示す図である。
【図２７】単一画像の編集画面の例を示す図である。
【図２８】複数セット画像の編集画面の例を示す図である。
【図２９】複数セット画像の編集画面の例を示す他の図である。
【図３０】待ち受け画像作成画面の例を示す図である。
【図３１】画面表示の切り替えの例を示す図である。
【図３２】図３１の選択画面Ａ１を示す図である。
【図３３】図３１の選択画面Ａ３を示す図である。
【図３４】画面表示の切り替えの例を示す図である。
【発明を実施するための形態】
【００２２】
［写真シール作成装置の構成］
図１は、本発明の一実施形態に係る写真シール作成装置１の構成例を示す斜視図である。
【００２３】
写真シール作成装置１は、撮影や編集等の作業を利用者にゲームとして行わせ、撮影画像や編集済み画像を提供する代わりに利用者より代金を受け取るゲーム機（画像処理装置）である。写真シール作成装置１はゲームセンタなどの店舗に設置される。利用者は１人であることもあるし、複数人であることもある。
【００２４】
写真シール作成装置１が提供する写真シール作成ゲームにおいて、利用者は、代金を投入し、自身が被写体となって撮影を行い、撮影によって得られた撮影画像の中から編集対象とする画像を選択し、編集対象の撮影画像に対して、背景や前景となるフレーム画像、手書きの線画やスタンプ画像を合成する編集機能を用いて編集を行うことにより、撮影画像を彩り豊かな画像にする。ゲーム終了後、利用者は、編集済み画像が印刷されたシール紙を受け取ることになる。
【００２５】
図１に示すように、写真シール作成装置１の筐体１０は、主に、撮影ユニット１２、編集ユニット１３、天井ストロボユニット１４、および背景カーテンユニット１５から構成される。
【００２６】
撮影ユニット１２は、利用者を被写体として撮影する機能を有するユニットである。撮影ユニット１２の内部の撮影空間において撮影が行われる。撮影ユニット１２は、大きく前方ユニット１２Ａと後方ユニット１２Ｂに分けられる。
【００２７】
前方ユニット１２Ａは、撮影空間の前方側となるユニットであり、撮影に関する処理を行ったり、利用者による操作を受け付けたりする。前方ユニット１２Ａの側面には、外付けモニタ１６、スピーカ１７、タッチペン１８ａ，１８ｂが設けられる。外付けモニタ１６の下方には硬貨投入口５５が設けられる。後方ユニット１２Ｂは撮影空間の後方側となる壁状のユニットである。
【００２８】
編集ユニット１３は、利用者が撮影画像に対して編集等を行うための構成が設けられるユニットである。２組の利用者が同時に編集作業を行うことができるように、編集等を行うための構成が編集ユニット１３の２つの面のそれぞれに設けられる。写真シール作成装置１は、ある利用者に写真シール作成ゲームを行わせることと、他の利用者に写真シール作成ゲームを行わせることを並列的に実行することができる。
【００２９】
撮影空間の上方に設けられる天井ストロボユニット１４は、撮影タイミングに合わせて撮影空間内に向けてフラッシュを発光するストロボを内蔵する。天井ストロボユニット１４の内部には蛍光灯が配置されており、撮影空間の照明としても機能する。
【００３０】
後方ユニット１２Ｂの上部には、背景に利用する可動式のカーテン（背景カーテン）が収納された背景カーテンユニット１５が設けられている。背景カーテンユニット１５には、色または柄の異なる巻き取り式のカーテンが複数収納されている。背景カーテンユニット１５は、前方ユニット１２Ａに設けられたカメラやストロボ等の撮影機能と連動して動作し、撮影の際に、例えば利用者により選択された色のカーテンを下ろし、その他のカーテンを巻き取る。背景カーテンについて、複数のカーテンを１枚のクロマキー用のカーテンとして昇降式カーテンとしてもよく、また、クロマキー用のカーテンを予め撮影空間の背面に張り付けるとともに、合成用の背景画像を複数種類用意し、編集処理において利用者が所望する背景画像をカーテンの部分に合成することができるようにしてもよい。
【００３１】
前方ユニット１２Ａの側面に設けられる外付けモニタ１６は、撮影空間で撮影が行われている場合に、次に撮影空間を利用するために撮影空間の外で待機している利用者や、写真シール作成装置１の傍を通りかかった人に対して、ゲームの進行状況を示す映像を表示したり、ゲームの流れや遊び方等を案内する映像（デモンストレーション）を表示したり、写真シール作成装置１が設置されている店舗や地域の広告等を表示したりする。外付けモニタ１６はタブレット内蔵モニタであり、事前接客処理に関する画面を表示し、利用者による選択操作を受け付ける。
【００３２】
スピーカ１７は、外付けモニタ１６の表示に合わせた音声を出力する。
【００３３】
タッチペン１８ａ，１８ｂは事前接客作業を行う利用者により用いられる。利用者は、タッチペン１８（タッチペン１８ａ，１８ｂ）によって外付けモニタ１６をタップしたり、外付けモニタ１６上を移動させたりすることにより、各種の項目を選択することができる。タッチペンを２本用意しておくことにより、事前接客作業における選択操作を２人の利用者が同時に行うことが可能になる。
【００３４】
図２は、写真シール作成装置１を別の角度から見た斜視図である。
【００３５】
編集ユニット１３は、前方ユニット１２Ａの、後方ユニット１２Ｂ側の面（撮影空間側の面）と反対の面に隣接して設置される。編集ユニット１３の２つの側面には、利用者が撮影画像に対する編集等を行うための第１編集インタフェース１３Ａと第２編集インタフェース１３Ｂがそれぞれ設けられる。
【００３６】
ここで、写真シール作成ゲームの流れと、それに伴う利用者の移動について図３を参照して説明する。図３は、写真シール作成装置１を上から見た平面図である。
【００３７】
外付けモニタ１６の前方の空間である事前接客空間３１において硬貨投入口５５に代金を投入した利用者（利用者Ａ）は、タッチペン１８を用いて、外付けモニタ１６に表示される画面に従って各種の設定を行う。事前接客空間３１においては、例えば、画像をサーバに送信する機能である携帯送信の機能を利用するか否かの選択が事前接客作業として行われる。
【００３８】
事前接客作業を終えた利用者は、前方ユニット１２Ａと後方ユニット１２Ｂの間に形成された撮影空間３２に入り、前方ユニット１２Ａに設けられたカメラやモニタを利用して撮影作業を行う（利用者Ｂ）。
【００３９】
撮影作業を終えた利用者は、撮影画像の中から編集対象とする画像を選択し、選択した後に例えば前方ユニット１２Ａのモニタに表示される移動案内に従って、撮影空間３２から、編集作業を行う編集空間に移動する。
【００４０】
編集ユニット１３の、前方ユニット１２Ａから見て右側（第１編集インタフェース１３Ａの前方）に第１編集空間３３Ａが形成され、左側（第２編集インタフェース１３Ｂの前方）に第２編集空間３３Ｂが形成される。以下、適宜、第１編集空間３３Ａと第２編集空間３３Ｂを区別する必要が無い場合、まとめて編集空間３３という。
【００４１】
撮影空間３２の利用者（利用者Ｂ）は、撮影作業を終えたとき、２つの編集空間のうち、空いている方に案内される。第１編集空間３３Ａまたは第２編集空間３３Ｂに移動した利用者は、編集作業を開始する。第１編集空間３３Ａの利用者である利用者Ｃと、第２編集空間３３Ｂの利用者である利用者Ｃ'は同時に編集作業を行うことができる。
【００４２】
編集作業が終了した後、印刷が開始される。画像の印刷中、利用者は、携帯送信の機能を利用することを事前接客作業時に選択している場合、サーバに保存しておく画像を選択したり、ミニゲームを行ったりする。印刷が終了した場合、利用者は印刷物受取領域３４に移動してシール紙を受け取り、一連の写真シール作成ゲームを終える。
【００４３】
次に、各ユニットの構成について説明する。
【００４４】
図４は、前方ユニット１２Ａの構成例を示す図である。図４の正面１２Ａ−１は、撮影空間３２で撮影作業を行う利用者にとって前方に位置する面である。
【００４５】
正面１２Ａ−１のほぼ中央には、撮影空間３２内の被写体を撮影するカメラ５１が設けられており、カメラ５１の下にタッチパネルモニタ５２が設けられている。
【００４６】
正面１２Ａ−１には、カメラ５１による撮影タイミングに合わせて発光する照明装置５３−１乃至５３−８が設置されている他、撮影作業を行っている利用者が手荷物等を置くための荷物置き場５４−１および５４−２が、タッチパネルモニタ５２の下にある照明装置５３−７を挟んで左右に設けられている。正面１２Ａ−１の例えば天井付近には、写真シール作成ゲームの撮影作業における案内音声、BGM(Back Ground Music)、効果音等の音声を出力するスピーカも設けられる。
【００４７】
カメラ５１は、CCD(Charge Coupled Device)などの撮像素子により構成され、撮影空間３２にいる利用者を撮影する。カメラ５１により取り込まれた取り込み画像は、一部が切り出されたり、背景等の画像が合成されたりして、タッチパネルモニタ５２にリアルタイムで表示される。利用者により撮影が指示されたときなどの所定のタイミングでカメラ５１により取り込まれた画像は撮影画像（静止画像）として保存される。
【００４８】
タッチパネルモニタ５２は、LCD(Liquid Crystal Display)などのライブビューモニタと、それに積層されたタッチパネルにより構成される。タッチパネルモニタ５２は、カメラ５１により取り込まれた取り込み画像に背景や前景等の画像を合成した合成画像（動画像）を表示するライブビューモニタとしての機能と、各種のGUI(Graphical User Interface)画像を表示するとともに、画面上に重畳されたタッチパネルにより利用者の選択操作を受け付ける機能とを備えている。
【００４９】
図５は、編集ユニット１３の、撮影ユニット１２側から見て右側面の構成例（第１編集空間３３Ａ側の構成例）を示す図である。
【００５０】
第１編集インタフェース１３Ａには、タブレット内蔵モニタ６２、タッチペン６３−１，６３−２、およびスピーカ６４が設けられる。これらの上方には照明装置６１も設けられる。
【００５１】
タブレット内蔵モニタ６２は、タッチペン６３−１または６３−２を用いて操作入力が可能なタブレットがLCDなどの表示デバイス上に重畳されることによって構成される。タブレット内蔵モニタ６２には、例えば、編集対象として選択された撮影画像の編集に用いられる画面である編集画面が表示される。２人で同時に編集作業を行う場合、タッチペン６３−１は一方の利用者により用いられ、タッチペン６３−２は他方の利用者により用いられる。
【００５２】
スピーカ６４は、案内音声、効果音、BGMなどの編集作業に関する音声を出力する。なお、第２編集空間３３Ｂ側の編集ユニット１３の構成も、図５に示す第１編集空間３３Ａ側の構成と基本的に同様の構成である。
【００５３】
図６は、編集ユニット１３の、写真シール排出部１３Ｃの構成例を示す図である。
【００５４】
写真シール排出部１３Ｃには写真シール排出口７１が設けられる。写真シール排出口７１には、第１編集空間３３Ａの利用者が編集作業を行って得られた画像が印刷されたシール紙と、第２編集空間３３Ｂの利用者が編集作業を行って得られた画像が印刷されたシール紙が排出される。編集ユニット１３の内部にはプリンタが設けられており、編集作業により得られた画像の印刷がそのプリンタにより行われる。
【００５５】
次に、写真シール作成装置１の内部構成について説明する。図７は、写真シール作成装置１の内部の構成例を示すブロック図である。上述した構成と同じ構成には同じ符号を付してある。重複する説明については適宜省略する。
【００５６】
制御部１０１は、写真シール作成装置１の全体の動作を制御する。制御部１０１には、記憶部１０２、通信部１０３、ドライブ１０４、ROM(Read Only Memory)１０６、RAM(Random Access Memory)１０７、事前接客部１１１、撮影部１１２、編集部１１３、プリンタ１１４が接続される。
【００５７】
記憶部１０２は、ハードディスクやフラッシュメモリなどの不揮発性の記憶媒体からなり、制御部１０１から供給された各種の設定情報を記憶する。記憶部１０２に記憶されている情報は制御部１０１により適宜読み出される。
【００５８】
通信部１０３はインターネットなどのネットワークのインタフェースであり、制御部１０１による制御に従って外部の装置と通信を行う。
【００５９】
ドライブ１０４には、光ディスク（CD-ROM(Compact Disc-Read Only Memory)、DVD(Digital Versatile Disc)を含む）や半導体メモリなどよりなるリムーバブルメディア１０５が適宜装着される。ドライブ１０４によりリムーバブルメディア１０５から読み出されたコンピュータプログラムやデータは、制御部１０１に供給され、記憶部１０２に記憶されたり、インストールされたりする。
【００６０】
ROM１０６には、制御部１０１において実行されるプログラムやデータが記憶されている。RAM１０７は、制御部１０１が処理するデータやプログラムを一時的に記憶する。
【００６１】
事前接客部１１１は、事前接客作業を利用者に行わせるための処理である事前接客処理を行うブロックであり、外付けモニタ１６、スピーカ１７、タッチペン１８、および硬貨処理部１２１から構成される。
【００６２】
外付けモニタ１６は、制御部１０１による制御に従って、写真シール作成ゲームの流れや遊び方等を案内する映像などを表示する。また、外付けモニタ１６は、代金が投入された後、携帯送信の機能を利用するか否かの選択画面などを表示する。外付けモニタ１６に対して入力された利用者の操作の内容を表す信号は制御部１０１に供給される。
【００６３】
硬貨処理部１２１は、硬貨投入口に対する硬貨の投入を検出する。硬貨処理部１２１は、硬貨が投入されたことを検出した場合、そのことを表す起動信号を制御部１０１に出力する。
【００６４】
撮影部１１２は、撮影作業を利用者に行わせるための処理である撮影処理を行うブロックであり、背景カーテンユニット１５、照明制御部１２２、カメラ５１、タッチパネルモニタ５２、およびスピーカ１２４から構成される。
【００６５】
背景カーテンユニット１５は、制御部１０１より供給される背景制御信号に基づいて背景カーテンの上げ下ろしを行う。背景の選択は利用者が手動で行うようにしてもよい。
【００６６】
照明制御部１２２は、制御部１０１より供給される照明制御信号に基づいて、照明装置５３−１乃至５３−８を点灯したり、消灯したりする。
【００６７】
カメラ５１は、制御部１０１による制御に従って撮影を行い、撮影によって得られた画像データを制御部１０１に出力する。撮影処理においては、撮影が複数回行われ、複数の撮影画像の中から選択された所定の数の画像が編集対象の画像として記憶部１０２に保存される。
【００６８】
編集部１１３は、編集作業を利用者に行わせるための処理である編集処理を行うブロックであり、第１編集インタフェース１３Ａに対応する第１編集部１１３Ａと、第２編集インタフェース１３Ｂに対応する第２編集部１１３Ｂよりなる。ここでは第１編集部１１３Ａの構成について説明するが、第２編集部１１３Ｂも第１編集部１１３Ａと同一の構成を有する。
【００６９】
第１編集部１１３Ａは、タブレット内蔵モニタ６２、タッチペン６３−１，６３−２、およびスピーカ６４から構成される。
【００７０】
タブレット内蔵モニタ６２は編集用モニタ１４１とタブレット１４２により構成され、制御部１０１による制御に従って編集画面を表示し、編集画面に対する利用者の操作を検出する。利用者の操作の内容を表す信号は制御部１０１に供給され、編集対象として選択された撮影画像の編集が行われる。
【００７１】
プリンタ１１４は、編集処理によって得られた編集済み画像をシール紙１６２に印刷し、写真シール排出口７１に排出する。
【００７２】
図８は、制御部１０１の機能構成例を示すブロック図である。図８に示す構成は、制御部１０１が所定のプログラムを実行することによって実現される。制御部１０１においては、事前接客処理部２０１、撮影処理部２０２、編集処理部２０３、印刷処理部２０４、および事後接客処理部２０５が実現される。
【００７３】
事前接客処理部２０１は、写真シール作成ゲームを開始する際に投入される代金（硬貨）に関する処理や、撮影前設定などに関する処理である事前接客処理を行う。撮影処理部２０２は、利用者を撮影する処理である撮影処理を行う。編集処理部２０３は、撮影画像に対する編集等の編集処理を行う。印刷処理部２０４は、編集処理によって得られた画像をシール紙に印刷する印刷処理を行う。事後接客処理部２０５は、携帯送信用の画像の送信などの処理を事後接客処理として行う。
【００７４】
［写真シール作成装置の動作］
ここで、図９のフローチャートを参照して、写真シール作成ゲームを提供する写真シール作成装置１の処理について説明する。
【００７５】
ステップＳ１において、写真シール作成装置１の硬貨処理部１２１は、硬貨が投入されたか否かを判定し、投入されたと判定するまで待機する。
【００７６】
硬貨が投入されたとステップＳ１において判定された場合、ステップ２において事前接客処理が行われる。事前接客処理により、例えば、携帯送信の機能を利用するか否かが選択され、利用することが選択された場合、利用者の携帯電話機のメールアドレスの入力が行われる。事前接客処理については図１０のフローチャートを参照して後述する。
【００７７】
ステップＳ３において、撮影処理部２０２は撮影処理を行う。撮影処理によって得られた撮影画像はタッチパネルモニタ５２に表示され、その中から編集対象として選択された画像が記憶部１０２に保存される。
【００７８】
ステップＳ４において、編集処理、事後接客処理、印刷処理が行われる。編集処理においては、撮影画像の編集が行われ、事後接客処理においては、携帯送信用画像の選択などが適宜行われる。印刷処理においては、編集処理により得られた編集済みの撮影画像がシール紙１６２に印刷される。ステップＳ４において行われる処理については、図１３乃至図１５のフローチャートを参照して後述する。
【００７９】
ステップＳ５において、印刷処理部２０４は、所定の画面をタブレット内蔵モニタ６２に表示するなどして、写真シール排出口７１の前への移動を案内する。
【００８０】
印刷が終了したとき、ステップＳ６において、印刷処理部２０４は、編集済みの撮影画像が印刷されたシール紙１６２を写真シール排出口７１に排出し、処理を終了させる。
【００８１】
次に、図１０のフローチャートを参照して、図９のステップＳ２において行われる事前接客処理について説明する。
【００８２】
ステップＳ２１において、事前接客処理部２０１は、携帯送信の機能を利用するか否かの選択に用いられる選択画面を外付けモニタ１６に表示する。
【００８３】
図１１は、携帯送信の機能を利用するか否かの選択に用いられる選択画面の例を示す図である。選択画面には、その中央付近に「画像を携帯に送信する？？」のメッセージが表示され、その下に、携帯送信の機能を利用するときに操作されるYESボタン２１１と、利用しないときに操作されるNOボタン２１２が表示される。利用者は、タッチペン１８を用いてYESボタン２１１またはNOボタン２１２を操作することになる。
【００８４】
上述したように、携帯送信は、写真シール作成装置１を用いて得られた画像をサーバに送信する機能である。撮影画像の編集が終了したとき、編集ユニット１３のタブレット内蔵モニタ６２には編集済みの画像などが表示され、その中から、サーバに送信し、保存しておく画像が選択される。選択された画像は、携帯送信用画像として、利用者により入力されたメールアドレスとともにサーバに送信され、サーバが有する記憶媒体に保存される。保存先を表すURLを含む電子メールがサーバから利用者の携帯端末に送信され、利用者が携帯端末を操作して電子メールに含まれるURLに対するアクセスを指示したとき、URLに基づいてアクセスが行われ、携帯送信用画像が携帯端末のディスプレイに表示される。
【００８５】
携帯端末の利用者は、サーバに保存しておいた画像を携帯端末上で閲覧するだけでなく、ディスプレイに表示された携帯送信用画像をダウンロードし、自分が管理しているブログに掲載したり、携帯端末の待ち受け画面に表示されるように設定したりすることができる。
【００８６】
ステップＳ２２において、事前接客処理部２０１は、外付けモニタ１６から供給される信号に基づいて、携帯送信の機能を利用することが選択されたか否かを判定する。
【００８７】
図１１の選択画面においてYESボタン２１１が操作されたことから、携帯送信の機能を利用することが選択されたとステップＳ２２において判定した場合、ステップＳ２３において、事前接客処理部２０１はメールアドレスの入力画面を外付けモニタ１６に表示する。
【００８８】
図１２は、メールアドレスの入力画面の例を示す図である。メールアドレスの入力画面には、その中央左側に、利用者が入力したメールアドレスが表示される表示部２２１Ｌが表示され、その下に、メールアドレスの入力に用いられるソフトウエアキーボード２２２Ｌが表示される。ソフトウエアキーボード２２２Ｌの下には、ドメイン名の入力に用いられるドメイン選択ボタン２２３Ｌ、メールアドレスを決定するときに操作される決定ボタン２２４Ｌ、および他のアドレスを入力することができるボタン２２５Ｌが表示される。
【００８９】
表示部２２１Ｌ、ソフトウエアキーボード２２２Ｌ、ドメイン選択ボタン２２３Ｌの右側には、それぞれ、同じ内容の画像である表示部２２１Ｒ、ソフトウエアキーボード２２２Ｒ、およびドメイン選択ボタン２２３Ｒが表示される。ドメイン選択ボタン２２３Ｒの下には、決定ボタン２２４Ｒと他のアドレスを入力することができるボタン２２５Ｒが表示される。
【００９０】
すなわち、写真シール作成装置１においては、携帯送信用画像の保存場所を表すURLの通知先として、複数の携帯端末を指定することができるようになされている。例えば、外付けモニタ１６に向かって左側に立っている利用者は、タッチペン１８ｂを操作して自分の携帯端末のメールアドレスを入力することができ、右側に立っている利用者は、タッチペン１８ａを操作して、左側に立っている利用者と同時に、自分の携帯端末のメールアドレスを入力することができる。入力されたメールアドレスは、携帯送信の機能を利用することが選択されたことを表す情報とともに例えばRAM１０７に記憶される。
【００９１】
一方、図１１の選択画面においてNOボタン２１２が操作されたことから、携帯送信の機能を利用しないことが選択されたとステップＳ２２において判定された場合、ステップＳ２３の処理はスキップされる。この場合、RAM１０７には、携帯送信の機能を利用しないことが選択されたことを表す情報が記憶される。
【００９２】
ステップＳ２４において、事前接客処理部２０１は、撮影空間３２への移動を案内する誘導画面を外付けモニタ１６に表示する。その後、図９のステップＳ２に戻り、撮影処理以降の処理が行われる。
【００９３】
事前接客処理時に、撮影画像に合成する画像の選択や、撮影画像の明るさ、写りの選択などが行われるようにしてもよい。
【００９４】
次に、図１３乃至図１５のフローチャートを参照して、図９のステップＳ４において行われる処理について説明する。この処理は、撮影処理が終了し、複数の撮影画像の中から編集対象として選択された画像が記憶部１０２に保存された後に、編集空間３３にいる利用者を対象として行われる処理である。
【００９５】
ステップＳ３１において、編集処理部２０３は、編集対象として選択された撮影画像を記憶部１０２から読み出し、取得する。編集対象の撮影画像を取得した後、編集処理部２０３は、編集を開始するときに操作される編集開始ボタンをタブレット内蔵モニタ６２に表示させる。以下においては、６枚の撮影画像が編集対象として選択された場合について説明するが、画像の数は任意である。
【００９６】
ステップＳ３２において、編集処理部２０３は、編集開始ボタンが所定の時間内に押されたか否かをタブレット内蔵モニタ６２から供給される信号に基づいて判定し、所定の時間が経過するまで、または、編集開始ボタンが押されたと判定するまで待機する。
【００９７】
編集開始ボタンを表示してから所定の時間が経過した、または、編集開始ボタンが所定の時間内に押されたとステップＳ３２において判定した場合、ステップＳ３３において、編集処理部２０３は、選択画面をタブレット内蔵モニタ６２に表示し、シールレイアウトの選択を受け付ける。
【００９８】
シールレイアウトは、写真シール作成ゲームの一連の処理が終了したときに最終的に出力されるシール紙１６２における画像（編集済み画像など）の配置を示すものである。ここでは、シールレイアウトの分割数の選択が編集空間３３において行われるものとしているが、事前接客空間３１において行われるようにすることも可能である。編集処理部２０３により受け付けられたシールレイアウトを表す情報は印刷処理部２０４に供給される。
【００９９】
シールレイアウトの選択を受け付けた後、ステップＳ３４において、編集処理部２０３は、RAM１０７に記憶された情報を参照し、携帯送信の機能を利用することが事前接客処理時に選択されていたか否かを判定する。
【０１００】
携帯送信の機能を利用することが選択されていたとステップＳ３４において判定した場合、ステップＳ３５において、編集処理部２０３は、ケータイおまけの機能を利用するか否かの選択画面を表示し、利用者による選択を受け付ける。選択画面には、ケータイおまけの機能を利用するときに操作されるボタンと、利用しないときに操作されるボタンが表示される。
【０１０１】
ここで、ケータイおまけの機能は、後述するようにしてブログ画像または待ち受け画像を作成する機能である。ケータイおまけの機能によるブログ画像または待ち受け画像の作成は、シール紙１６２に印刷する撮影画像の編集が終了した後、印刷処理と並行して行われる。
【０１０２】
利用者は、携帯送信の機能を利用することを選択した場合、ケータイおまけの機能を利用することを選択しているときには、編集を施して得られた編集済みの撮影画像と、ケータイおまけの機能によって作成したブログ画像または待ち受け画像との中から、サーバに送信する画像を選択することができる。一方、携帯送信の機能を利用することを選択しているがケータイおまけの機能を利用することを選択していないときには、利用者は、編集を施して得られた編集済みの撮影画像の中から、サーバに送信する画像を選択することになる。ケータイおまけの機能によって、ブログ画像と待ち受け画像の両方の画像を作成することができるようにしてもよい。
【０１０３】
ステップＳ３６において、編集処理部２０３は、ケータイおまけの機能を利用することが選択されたか否かを判定し、利用することが選択されたと判定した場合、ステップＳ３７において、撮影画像の編集画面をタブレット内蔵モニタ６２に表示させ、利用者による編集操作を受け付ける。
【０１０４】
図１６は、撮影画像の編集画面の例を示す図である。
【０１０５】
撮影画像の編集画面は、基本的に、同じ構成の画面が左右に対称に並べて配置されることによって構成される。例えば、タブレット内蔵モニタ６２に対して左側に立っている利用者は、タッチペン６３−１を用いて編集画面の左半分において撮影画像の編集を行い、右側に立っている利用者は、左側に立っている利用者による編集と並行して、タッチペン６３−２を用いて編集画面の右半分において撮影画像の編集を行うことになる。
【０１０６】
編集画面の左側の上方には画像選択部２４３Ｌが形成され、ここには、撮影処理後に編集対象として選択された６枚の撮影画像がそれぞれ縮小して表示される。画像選択部２４３Ｌから選択された撮影画像が、画像選択部２４３Ｌの下に形成された編集対象画像表示部２４１Ｌに拡大して表示される。図１６の例においては、６枚の撮影画像のうち、左から２番目の撮影画像が編集対象としてカーソルＣによって選択されている。また、右端の撮影画像がカーソルＣ’によって選択され、「落書き中」の文字が画像に重ねて表示されている。画像選択部２４３ＬにおいてカーソルＣ’によって選択され、「落書き中」の文字が画像に重ねて表示されていることは、６枚の撮影画像のうちの右端の撮影画像が編集画面の右側において編集対象とされており、それと同じ画像を左側において編集対象として選択できないことを表す。
【０１０７】
後述するように編集画面の右側の上方に画像選択部２４３Ｒが設けられ、画像選択部２４３Ｒには、画像選択部２４３Ｌに表示されている画像と同じ６枚の画像が同じ並びで表示される。画像選択部２４３Ｒにおいては、６枚の撮影画像のうち、右端の撮影画像が編集対象としてカーソルＣ’によって選択されている。また、左から２番目の撮影画像がカーソルＣによって選択され、「落書き中」の文字が画像に重ねて表示されている。画像選択部２４３ＲにおいてカーソルＣによって選択され、「落書き中」の文字が画像に重ねて表示されていることは、６枚の撮影画像のうちの左から２番目の撮影画像が編集画面の左側において編集対象とされており、それと同じ画像を右側において編集対象として選択できないことを表す。すなわち、編集画面においては、左右の一方の画面で編集対象として選択されている画像は、他方の画面で編集対象として選択不可となる。
【０１０８】
編集対象画像表示部２４１Ｌの下にはコンテンツパレット２４５Ｌが表示される。コンテンツパレット２４５Ｌには手書き画像を入力するときに選択されるペンツール、スタンプ画像を入力するときに選択されるスタンプツールなどの各種の編集ツールのタブが表示されており、タブを選択することによって、編集ツールを切り替えることができるようになされている。利用者は、コンテンツパレット２４５Ｌから編集ツールを選択し、編集対象画像表示部２４１Ｌに表示されている編集対象の撮影画像に文字や絵柄などを入力することができる。
【０１０９】
編集対象画像表示部２４１Ｌの左上には撮影画像の編集を終了するときに操作される終了ボタン２４２Ｌが表示され、右側には、各種のボタンが表示されるボタン表示部２４４Ｌが表示される。図１６の例においては、編集をはじめからやり直すときに操作されるボタン、編集対象画像表示部２４１Ｌに入力した画像を部分的に消去するときに用いられる消しゴムボタン、編集の内容を一操作後の状態に戻すときに操作されるボタン、および、編集の内容を一操作前の状態に戻すときに操作されるボタンがボタン表示部２４４Ｌに表示されている。
【０１１０】
編集画面の右側には、左側に表示される編集対象画像表示部２４１Ｌ、終了ボタン２４２Ｌ、画像選択部２４３Ｌ、ボタン表示部２４４Ｌ、およびコンテンツパレット２４５Ｌに対応して、編集対象画像表示部２４１Ｒ、終了ボタン２４２Ｒ、画像選択部２４３Ｒ、ボタン表示部２４４Ｒ、およびコンテンツパレット２４５Ｒが表示される。編集画面の中央上方には、編集作業に割り当てられた制限時間の残り時間（図中のTime）と、BGMの選択に用いられるGUIが表示される。編集処理部２０３は、このような編集画面に対する編集操作を受け付け、撮影画像の編集を行う。
【０１１１】
図１３の説明に戻り、ステップＳ３８において、編集処理部２０３は、編集処理の制限時間として予め設定された所定の時間が経過したか否かを判定し、所定の時間が経過するまで待機する。この間、利用者による編集入力の受け付けが繰り返される。
【０１１２】
所定の時間が経過したとステップＳ３８において判定した場合、ステップＳ３９において、編集処理部２０３は、撮影空間３２が空いているか否かを判定する。例えば、別の利用者のための撮影処理が撮影処理部２０２により実行されているか否かに基づいて、撮影空間３２が空いているか否かが判定される。
【０１１３】
撮影空間３２が空いている、すなわち次の利用者により撮影作業が行われていないとステップＳ３９において判定した場合、ステップＳ４０において、編集処理部２０３は編集画面の表示を続け、編集入力を受け付ける。これにより、編集時間が延長されることになる。
【０１１４】
ステップＳ４１において、編集処理部２０３は、延長可能時間が経過したか否かを判定し、延長可能時間が経過していないと判定した場合、編集入力の受け付けを繰り返す。
【０１１５】
ステップＳ４１において延長可能時間が経過したと判定された場合、または、ステップＳ３９において撮影空間３２が空いていない、すなわち次の利用者により撮影作業が行われていると判定された場合、ステップＳ４２においてケータイおまけ作成処理が行われる。ケータイおまけ作成処理により、ブログ画像または待ち受け画像の作成が行われる。ケータイおまけ作成処理については図１７のフローチャートを参照して後述する。
【０１１６】
ステップＳ４３において、事後接客処理部２０５は、ケータイおまけの機能に対する制限時間として予め設定された所定の時間が経過したか否かを判定し、所定の時間が経過したと判定するまで待機する。
【０１１７】
所定の時間が経過したとステップＳ４３において判定した場合、ステップＳ４４において、事後接客処理部２０５は、サーバに送信する画像の選択画面を表示し、利用者による選択を受け付ける。ここで表示される選択画面には、編集済の撮影画像と、ケータイおまけの機能によって作成されたブログ画像または待ち受け画像が表示される。
【０１１８】
また、事後接客処理部２０５は、選択画面から画像が選択されたとき、通信部１０３を制御し、選択された画像を携帯送信用画像として、利用者により入力され、RAM１０７に記憶されていたメールアドレスとともにサーバに送信する。ケータイおまけの機能によって作成されたブログ画像または待ち受け画像については、携帯送信用画像として自動的に選択され、送信されるようにしてもよい。写真シール作成装置１から送信されてきた情報を受信したサーバにおいては、携帯送信用画像を記憶媒体の所定の領域に保存し、保存先を表すURLを含む電子メールを利用者の携帯端末に対して送信することが行われる。
【０１１９】
なお、ステップＳ４２のケータイおまけ作成処理と並行して、ステップＳ４５において、印刷処理部２０４により印刷事前処理が行われる。印刷事前処理においては、シール紙１６２に印刷する画像のイメージを利用者により選択されたシールレイアウトに従って生成する処理などが行われる。印刷事前処理が終了した後、ケータイおまけ作成処理と並行して、ステップＳ４６において、印刷処理部２０４は編集済みの画像をシール紙１６２に印刷する。
【０１２０】
ステップＳ４４において携帯送信用画像の送信が行われた後、またはステップＳ４６において印刷が行われた後、図９のステップＳ４に戻りそれ以降の処理が行われる。
【０１２１】
一方、ステップＳ３６においてケータイおまけの機能を利用することが選択されなかったと判定した場合、ステップＳ４７（図１４）において、編集処理部２０３は、図１６を参照して説明した撮影画像の編集画面をタブレット内蔵モニタ６２に表示し、利用者による編集操作を受け付ける。
【０１２２】
ステップＳ４８乃至Ｓ５４の処理は、基本的に、ケータイおまけ作成処理（ステップＳ４２の処理）が行われない点を除いて、ステップＳ３８乃至Ｓ４６の処理と基本的に同様の処理である。すなわち、ステップＳ４８において編集処理の制限時間として予め設定された所定の時間が経過したか否かが判定され、所定の時間が経過したと判定された場合、ステップＳ４９において撮影空間３２が空いているか否かが判定される。
【０１２３】
撮影空間３２が空いているとステップＳ４９において判定された場合、ステップＳ５０において編集が延長され、ステップＳ５１において延長可能時間が経過したか否かが判定される。延長可能時間が経過したとステップＳ５１において判定された場合、ステップＳ５２において、事後接客処理部２０５は、サーバに送信する画像の選択画面を表示し、利用者による選択を受け付ける。ケータイおまけの機能を利用することが選択されていないから、ここで表示される選択画面には、ブログ画像と待ち受け画像は表示されずに、編集済の撮影画像が表示される。
【０１２４】
また、事後接客処理部２０５は、通信部１０３を制御し、選択画面から選択された撮影画像を携帯送信用画像として、利用者により入力されたメールアドレスとともにサーバに送信する。
【０１２５】
ステップＳ５２の処理と並行して、ステップＳ５３において印刷事前処理が行われ、ステップＳ５４において印刷が行われる。ステップＳ５２において携帯送信用画像の送信が行われた後、またはステップＳ５４において印刷が行われた後、図９のステップＳ４に戻りそれ以降の処理が行われる。
【０１２６】
一方、図１３のステップＳ３４において携帯送信の機能を利用することが選択されていないと判定した場合、ステップＳ５５（図１５）において、編集処理部２０３は、図１６を参照して説明した撮影画像の編集画面をタブレット内蔵モニタ６２に表示し、利用者による編集操作を受け付ける。
【０１２７】
ステップＳ５６乃至Ｓ６３の処理は、ケータイおまけ作成処理（ステップＳ４２の処理）に代えて携帯送信以外の事後接客処理が行われる点を除いて、ステップＳ３８乃至Ｓ４６の処理と基本的に同様の処理である。すなわち、ステップＳ５６において編集処理の制限時間として予め設定された所定の時間が経過したか否かが判定され、所定の時間が経過したと判定された場合、ステップＳ５７において撮影空間３２が空いているか否かが判定される。
【０１２８】
撮影空間３２が空いているとステップＳ５７において判定された場合、ステップＳ５８において編集が延長され、ステップＳ５９において延長可能時間が経過したか否かが判定される。延長可能時間が経過したとステップＳ５９において判定された場合、ステップＳ６０において、事後接客処理部２０５は、携帯送信以外の事後接客処理を行う。ここでは、ミニゲームやアンケート入力などの作業がタブレット内蔵モニタ６２の表示を用いて行われる。
【０１２９】
ステップＳ６０の事後接客処理と並行してステップＳ６２において印刷事前処理が行われ、ステップＳ６３において印刷が行われる。ステップＳ６１において所定の時間が経過したと判定された場合、またはステップＳ６３において印刷が行われた後、図９のステップＳ４に戻りそれ以降の処理が行われる。
【０１３０】
［ケータイおまけ作成処理］
次に、図１７のフローチャートを参照して、図１３のステップＳ４２において行われるケータイおまけ作成処理について説明する。
【０１３１】
ステップＳ８１において、編集処理部２０３は、作成する画像の種類の選択画面をタブレット内蔵モニタ６２に表示する。
【０１３２】
図１８は、画像の種類の選択画面の例を示す図である。図１８に示すように、選択画面は左画面２５１Ｌと右画面２５１Ｒからなり、それぞれの画面に対称に、ブログ画像を作成するときに操作されるボタンであるブログ画像作成ボタン２６１と、待ち受け画像を作成するときに操作されるボタンである待ち受け画像作成ボタン２６２が表示される。
【０１３３】
すなわち、この例においては、双方の利用者が同じ種類の画像を作成することもできるし、一方の利用者がブログ画像を作成し、他方の利用者が待ち受け画像を作成するといったように、それぞれ異なる種類の画像を作成することもできるようになされている。例えばタブレット内蔵モニタ６２に向かって左側に立っている利用者は、タッチペン６３−１を操作して、ブログ画像を作成するのか待ち受け画像を作成するのかを左画面２５１Ｌの表示から選択し、右側に立っている利用者は、タッチペン６３−２を操作して、ブログ画像を作成するのか待ち受け画像を作成するのかを右画面２５１Ｒの表示から選択する。
【０１３４】
なお、ブログ画像は、利用者が携帯端末から更新している携帯端末用のブログ（ウェブログ）に掲載するための画像である。図１８の例においては、ブログ画像作成ボタン２６１は、画像を掲載したブログの画面をディスプレイに表示させた携帯電話機の形状のボタンとされている。「ABC」の文字はブログのテキストを表す。
【０１３５】
また、待ち受け画像は、携帯端末の待ち受け画面に表示させるための画像である。図１８の例においては、待ち受け画像作成ボタン２６２は、画像を待ち受け画面に設定した携帯電話機の形状のボタンとされている。携帯電話機の形状を有するブログ画像作成ボタン２６１と待ち受け画像作成ボタン２６２のディスプレイ部分に表示されている画像はサンプル画像である。以下の説明において、サンプル画像は写真シール作成装置１に予め用意された画像であり、サンプル画像に写る人物は、写真シール作成装置１を利用している利用者自身ではなく、モデルなどの人物である。
【０１３６】
このように、例えば２人の利用者は、左画面２５１Ｌと右画面２５１Ｒを用いてそれぞれ異なる作業を行うことができる。写真シール作成装置１は、以降、左画面２５１Ｌに入力された操作に対する処理と、右画面２５１Ｒに入力された操作に対する処理とを並行して行うことになる。
【０１３７】
ステップＳ８２において、編集処理部２０３は、ブログ画像の作成が選択されたか否かを判定する。図１８の選択画面においてブログ画像作成ボタン２６１が操作されたことから、ブログ画像の作成が選択されたとステップＳ８２において判定した場合、ステップＳ８３において、編集処理部２０３はブログサイトの選択画面を表示し、選択操作を受け付ける。
【０１３８】
図１９は、ブログサイトの選択画面の例を示す図である。この例においては、左画面２５１Ｌを使っている利用者と右画面２５１Ｒを使っている利用者の双方がブログ画像の作成を図１８の選択画面から選択したものとされている。
【０１３９】
ブログサイトの選択画面の左画面２５１Ｌと右画面２５１Ｒには、それぞれ、サイトＡ，Ｂ，Ｃを選択するときに操作されるサイト選択ボタン２７１と、サイトＤ，Ｅ，Ｆを選択するときに操作されるサイト選択ボタン２７２が表示される。サイト選択ボタン２７１，２７２の下には決定ボタン２７３が表示されている。サイトＡ〜Ｆは、ブログ掲載サービスを提供しているウェブサイトの名称である。
【０１４０】
サイトＡ，Ｂ，Ｃにおいて提供されるブログ掲載サービスを利用したブログにはVGA形式の画像を掲載することが可能とされており、サイトＤ，Ｅ，Ｆにおいて提供されるブログ掲載サービスを利用したブログにはQVGA形式の画像を掲載することが可能とされている。利用者がサイト選択ボタン２７１を操作し、決定ボタン２７３を操作した場合、以降の処理によってVGA形式のブログ画像が作成される。一方、利用者がサイト選択ボタン２７２を操作し、決定ボタン２７３を操作した場合、以降の処理によってQVGA形式のブログ画像が作成される。
【０１４１】
利用者は、自分が利用しているサイトを選択することにより、自分のブログに掲載可能なフォーマットのブログ画像を作成することが可能になる。すなわち、利用者は自分のブログに掲載可能なフォーマットの画像に変換する作業をブログ画像のダウンロード後に行わずに済み、これにより、利用者の満足度を向上させることができる。
【０１４２】
サイト選択ボタン２７１および２７２のうちのいずれかが操作された後に決定ボタン２７３が操作され、ブログサイトが選択された場合、ステップＳ８４において、編集処理部２０３は、ブログ画像の種類と形状の選択画面をタブレット内蔵モニタ６２に表示し、選択操作を受け付ける。
【０１４３】
図２０は、ブログ画像の種類と形状の選択画面の例を示す図である。左画面２５１Ｌには、サンプル画像が拡大して表示される領域である表示部２８１が設けられる。表示部２８１は、携帯電話機の外観を表す画像のうちのディスプレイの部分に形成されている。サンプル画像が選択される前、表示部２８１には、操作に関する説明などが表示される。
【０１４４】
表示部２８１の右側には、サンプル画像２８２−１乃至２８２−１２が３行４列に並べて表示される。サンプル画像は、ブログ画像の種類を単一画像とするのか複数セット画像とするのかの選択と、ブログ画像の形状の選択に用いられる。単一画像は、１枚の撮影画像から構成されるブログ画像であり、複数セット画像は、複数枚の撮影画像から構成されるブログ画像である。
【０１４５】
サンプル画像２８２−１は、縦方向の長さに対して横方向の長さが若干長い形状を有する単一画像を選択するときに操作される画像である。サンプル画像２８２−１は、その形状を有する単一画像をブログに掲載したときのイメージを表す画像になっている。
【０１４６】
また、サンプル画像２８２−２は、ほぼ正方形の形状を有する単一画像を選択するときに操作される画像である。サンプル画像２８２−２も、その形状を有する単一画像をブログに掲載したときのイメージを表す画像になっている。サンプル画像２８２−２を図２１Ａに拡大して示す。
【０１４７】
左画面２５１Ｌにおいてサンプル画像２８２−１，２８２−２とともに破線で囲んで示すサンプル画像２８２−３乃至２８２−６も、ブログ画像の種類として単一画像を選択するときに操作される画像であり、それぞれ、形状の異なる単一画像をブログに掲載したときのイメージを表す。
【０１４８】
サンプル画像２８２−７は、横方向に２枚、縦方向に２枚の計４枚の撮影画像が配置されることによって構成されるほぼ正方形の形状を有する複数セット画像を選択するときに操作される画像である。サンプル画像２８２−７は、その形状を有する複数セット画像をブログに掲載したときのイメージを表す画像になっている。サンプル画像２８２−７を図２１Ｂに拡大して示す。
【０１４９】
サンプル画像２８２−８は、横方向に２枚の撮影画像が配置されることによって構成される長方形の形状を有する複数セット画像を選択するときに操作される画像である。サンプル画像２８２−８も、その形状を有する複数セット画像をブログに掲載したときのイメージを表す画像になっている。
【０１５０】
左画面２５１Ｌにおいてサンプル画像２８２−７，２８２−８とともに破線で囲んで示すサンプル画像２８２−９乃至２８２−１２もブログ画像の種類として複数セット画像を選択するときに操作される画像であり、それぞれ、形状の異なる複数セット画像をブログに掲載したときのイメージを表す。
【０１５１】
右画面２５１Ｒにおいては、表示部２８１が画面の右側に形成され、表示部２８１の左側に、左画面２５１Ｌと同様にサンプル画像２８２−１乃至２８２−１２が表示されている。
【０１５２】
このように、形状の異なる単一画像と複数セット画像がそれぞれ複数用意されており、複数のバリエーションの中から選択することができるため、自由度の高いブログ画像を利用者に作成させることができる。また、利用者は、サンプル画像２８２−１乃至２８２−１２を見て、それぞれのブログ画像をブログに掲載したときのイメージを確認しながら、ブログ画像の種類と形状を選択することができる。
【０１５３】
図２２は、ブログ画像の種類と形状の選択画面の例を示す他の図である。図２２の左画面２５１Ｌにおいては、サンプル画像２８２−４がカーソルＣによって選択され、左側の表示部２８１にサンプル画像２８２−４が拡大して表示されている。この状態で決定ボタン２８３が操作されたとき、サンプル画像２８２−４に示される形状の単一画像を作成することが決定される。
【０１５４】
一方、右画面２５１Ｒにおいては、サンプル画像２８２−２がカーソルＣによって選択され、右側の表示部２８１にサンプル画像２８２−２が拡大して表示されている。この状態で決定ボタン２８３が操作されたとき、サンプル画像２８２−２に示されるような形状の単一画像を作成することが決定される。
【０１５５】
図１７の説明に戻り、ステップＳ８５において、編集処理部２０３は、以上のような選択画面に対する利用者の操作に基づいて、ブログ画像の種類として単一画像を作成することが選択されたか否かを判定する。
【０１５６】
単一画像を作成することが選択されたとステップＳ８５において判定した場合、ステップＳ８６において、編集処理部２０３は、単一画像のトリミング画面をタブレット内蔵モニタ６２に表示し、操作の受け付けを開始する。
【０１５７】
図２３は、トリミング画面の例を示す図である。この例においては、左画面２５１Ｌを使って操作を行っている利用者と右画面２５１Ｒを使って操作を行っている利用者の双方がブログ画像の種類として単一画像を選択したものとされている。一方の利用者が複数セット画像を選択している場合、左画面２５１Ｌと右画面２５１Ｒのうちのその利用者が使っている画面には、後述する複数セット画像の編集画面（図２８）が表示される。
【０１５８】
トリミング画面を構成する左画面２５１Ｌの左側には表示部２８１が設けられ、表示部２８１の右上方の画像選択部２９１には、撮影処理の終了後に編集対象として選択されたものと同じ６枚の撮影画像がそれぞれ縮小して表示される。画像選択部２９１から選択された撮影画像が、画像選択部２９１の下に形成された対象画像表示部２９２に拡大して表示される。図２３の例においては、６枚の撮影画像のうち、右から２番目の撮影画像がトリミング対象としてカーソルＣによって選択されている。
【０１５９】
対象画像表示部２９２に拡大して表示されるトリミング対象の撮影画像には、切り取り範囲を表すトリミング枠２９２Ａが重ねて表示される。トリミング枠２９２Ａの形状は、利用者が選択したブログ画像の形状と同じ形状である。図２２の選択画面においてほぼ正方形の形状を有する単一画像を作成することが選択されている場合、図２３に示すような、ほぼ正方形の形状のトリミング枠２９２Ａがトリミング対象の撮影画像に重ねて表示される。利用者は、タッチペン６３−１をトリミング枠２９２Ａにあて、その状態で対象画像表示部２９２上を移動させることによってトリミング枠２９２Ａの位置を移動させることができる。
【０１６０】
トリミング枠２９２Ａの右上隅には、トリミング枠２９２Ａを回転させるときに操作されるボタンである回転ボタンが表示される。回転ボタンの右側には回転ボタンの機能の説明が表示される。利用者はタッチペン６３−１を回転ボタンにあて、その状態で対象画像表示部２９２上を移動させることによって、例えば左上隅の位置を中心にトリミング枠２９２Ａの角度を変えることができる。回転ボタンにタッチペン６３−１が当てられたとき、回転ボタンの隣に表示されている機能の説明は消される。
【０１６１】
トリミング枠２９２Ａの右下隅には、トリミング枠２９２Ａを拡大縮小させるときに操作されるボタンである拡大縮小ボタンが表示される。拡大縮小ボタンの右側には拡大縮小ボタンの機能の説明が表示される。利用者は、タッチペン６３−１を拡大縮小ボタンにあて、その状態で対象画像表示部２９２上を右下方向に移動させることによって、左上隅の位置を固定として、縦横比をそのままにトリミング枠２９２Ａを拡大することができる。また、タッチペン６３−１を拡大縮小ボタンにあて、その状態で対象画像表示部２９２上を左上方向に移動させることによって、左上隅の位置を固定として、縦横比をそのままにトリミング枠２９２Ａを縮小することができる。拡大縮小ボタンにタッチペン６３−１が当てられたとき、拡大縮小ボタンの隣に表示されている機能の説明は消される。
【０１６２】
一方、右画面２５１Ｒの右側には表示部２８１が形成され、表示部２８１の左上方の画像選択部２９１には、左画面２５１Ｌの画像選択部２９１に表示されているものと同じ６枚の撮影画像が縮小して表示される。図２３の例においては、６枚の撮影画像のうち、左から３番目の撮影画像がトリミング対象としてカーソルＣによって選択され、対象画像表示部２９２に拡大して表示されている。右画面２５１Ｒにおいても、左画面２５１Ｌと同様にして撮影画像のトリミングが行われる。
【０１６３】
左画面２５１Ｌと右画面２５１Ｒのそれぞれの対象画像表示部２９２の下には切り取り範囲を決定するときに操作される決定ボタン２９３が表示される。
【０１６４】
図２４は、トリミング枠２９２Ａの位置の移動が行われたときのトリミング画面の例を示す図である。左画面２５１Ｌにおいては、トリミング枠２９２Ａの位置が、トリミング対象の撮影画像に写る２人の人物のうちの右側の人物の顔部分に移動している。このとき、表示部２８１には、トリミング枠２９２Ａ内の画像が、先に選択されたサンプル画像２８２−４（図２２）により表されるレイアウトで表示される。右画面２５１Ｒにおいても、トリミング枠２９２Ａの位置が移動し、トリミング枠２９２Ａ内の画像が表示部２８１に表示されている。
【０１６５】
なお、顔検出を行い、検出した顔の位置にトリミング枠２９２Ａが移動して設定されるようにしてもよい。このようなトリミング枠２９２Ａの設定は、例えば、トリミング枠２９２Ａの位置の移動を指示するときに操作される移動ボタンが押下されたときに行われる。顔検出により複数の顔が検出されている場合、移動ボタンが押下される毎に、左側の人物の顔部分→右側の人物の顔部分→左右両方の人物の顔を含む部分といったように、トリミング枠２９２Ａの位置を順次移動させるようにしてもよい。また、編集空間３３に配置したカメラによって撮影した画像に基づいて利用者のうちの誰が編集を行っているのかを識別し、デフォルトの位置として、編集を行っている利用者の顔にトリミング枠２９２Ａが設定されるようにしてもよい。
【０１６６】
図２５は、トリミング枠２９２Ａの回転が行われたときのトリミング画面の例を示す図である。左画面２５１Ｌにおいては、トリミング枠２９２Ａが回転され、斜めに表示されている。このとき、表示部２８１には、トリミング枠２９２Ａ内の画像が、その角度を元の角度に戻した状態で（トリミング枠２９２Ａの回転方向と逆方向に、トリミング枠２９２Ａの回転量と同じ量だけ回転させた状態で）、先に選択されたサンプル画像２８２−４により表されるレイアウトで表示される。右画面２５１Ｒにおいても、トリミング枠２９２Ａの角度が変わり、トリミング枠２９２Ａ内の画像が表示部２８１に表示されている。
【０１６７】
このように、利用者は、トリミング枠２９２Ａを好みの位置、大きさ、角度に配置し、決定ボタン２９３を操作することによって切り取り範囲を決定することができる。また、先に選択したブログ画像の形状と同じ形状でトリミング枠２９２Ａが表示されるため、利用者はブログ画像のイメージを確認することができる。トリミング枠をブログ画像の形状に応じた縦横比で拡大縮小することが可能とされているため、選択したとおりの形状の、ブログに掲載したときのバランスのよい画像を作成することが可能になる。
【０１６８】
また、トリミング枠２９２Ａを回転させて切り出し範囲を選択することができるようにすることによって、撮影時に顔を傾けて撮影していた場合であっても、顔が正面を向いているブログ画像を作成することが可能になる。また、トリミング枠２９２Ａを回転させた場合であっても、トリミング枠２９２Ａ内の範囲の画像が元の角度で表示部２８１に表示されるため、利用者は、トリミング枠２９２Ａを回転して切り取り範囲を指定した場合であってもブログに掲載した時のイメージを確認することができる。
【０１６９】
なお、トリミング枠２９２Ａの回転は、トリミング枠２９２Ａが対象画像表示部２９２から外にはみ出さない範囲で行うことが可能とされる。例えば、回転してトリミング枠２９２Ａの隅が対象画像表示部２９２の外枠に当たると、トリミング枠２９２Ａは回転前の位置に戻るようにして配置される。
【０１７０】
対象画像表示部２９２からはみ出してトリミング枠２９２Ａを回転させることができる
ようにしてもよい。この場合、例えばトリミング枠２９２Ａの範囲のうち、トリミング枠２９２Ａからはみ出た範囲は黒色や灰色などの所定の色で表示される。これにより、利用者は、回転不可、または、画像がない位置まで回転操作を行っていることを一目で確認することができる。また、画像上の異なる位置に複数パターンのＦｌａｓｈスタンプデータ（アニメーション等も含む）を配置し、一番良い位置にトリミング枠２９２Ａを合わせることができるように、自由な位置に設定できるのではなく、トリミング枠２９２Ａの位置にある程度制限をかけるようにしてもよい。
【０１７１】
対象画像表示部２９２のサイズ（解像度）に合わせて撮影画像を表示し、それを対象としてトリミングを行わせるのではなく、撮影処理によって得られたそのままのサイズの撮影画像をトリミング画面に表示し、利用者にトリミングを行わせるようにしてもよい。この例においては、カメラ５１により撮影された撮影画像のサイズは、対象画像表示部２９２のサイズより大きいものとされている。より大きな画像を対象としてトリミングを行うことができるようにすることにより、トリミング枠２９２Ａの回転の制限範囲が広がり、トリミング枠２９２Ａの回転操作を行いやすくなる。これにより、より利用者が満足する形でトリミングを行うことが可能になる。
【０１７２】
図１７の説明に戻り、ステップＳ８７において、編集処理部２０３は、トリミング枠２９２Ａが回転もしくは拡大縮小されたか否かを判定する。トリミング枠２９２Ａが回転もしくは拡大縮小されたとステップＳ８７において判定した場合、ステップＳ８８において、編集処理部２０３は、決定ボタン２９３が操作されることに応じて、トリミング対象の撮影画像のうちの、回転もしくは拡大縮小後のトリミング枠２９２Ａ内の範囲を切り出すようにしてトリミングを行う。
【０１７３】
一方、トリミング枠２９２Ａが回転もしくは拡大縮小されていないとステップＳ８７において判定した場合、ステップＳ８９において、編集処理部２０３は、決定ボタン２９３が操作されることに応じて、トリミング対象の画像のうちのトリミング枠２９２Ａ内の範囲を切り出すようにしてトリミングを行う。
【０１７４】
トリミングを行った後、ステップＳ９０において、編集処理部２０３は、単一画像の写りの種類の選択画面をタブレット内蔵モニタ６２に表示し、選択操作を受け付ける。
【０１７５】
図２６は、写りの種類の選択画面の例を示す図である。図２６の例においては、被写体を立体的に見せるような写りである「３Ｄ」、被写体をやわらかく表示するような写りである「ふんわり」、被写体をくっきりと表示するような写りである「くっきり」の中から写りを選択することができるようになされている。なお、トリミングによって撮影画像から切り出された画像の写りは、撮影時の設定（目のサイズ、明るさ、シャープさなどの設定）に応じて画像処理が施されたものになっている。
【０１７６】
左画面２５１Ｌと右画面２５１Ｒのそれぞれには、「３Ｄ」の写りのイメージを表す４枚のサンプル画像がサンプル画像表示部３０１に表示され、「ふんわり」の写りのイメージを表す４枚のサンプル画像がサンプル画像表示部３０２に表示されている。また、「くっきり」の写りのイメージを表す４枚のサンプル画像がサンプル画像表示部３０３に表示されている。４枚のサンプル画像は、それぞれ、写っている人物の目の大きさが異なる画像である。サンプル画像表示部３０３の下には決定ボタン３０４が表示されている。
【０１７７】
所定の写りの所定の目の大きさのサンプル画像が選択され、決定ボタン３０４が操作されたとき、選択されたサンプル画像の写りに応じた画像処理が、トリミングによって切り出された画像に対して編集処理部２０３により施される。また、選択されたサンプル画像の目の大きさに応じて、トリミングによって切り出された画像に写る人物の目の大きさを変える画像処理が編集処理部２０３により施される。
【０１７８】
サンプル画像に代えて、トリミングによって切り出された画像に対して直接、それぞれの写り、それぞれの目の大きさに応じた画像処理を施して得られた画像を並べてサンプル画像表示部３０１乃至３０３に表示することも可能である。これにより、利用者は、それぞれの写り、それぞれの目の大きさを表すサンプル画像が並べて表示される場合に較べて、最終的な単一画像の写りをより正確に確認することができる。写真シール作成装置１の処理の負荷の観点からは、それぞれの写り、それぞれの目の大きさに応じたサンプル画像を予め用意しておき、それらを並べてサンプル画像表示部３０１乃至３０３に表示した方が好ましい。
【０１７９】
このように、撮影時の写りとは異なる写りを後から選択し、単一画像の写りを変更することができるようにすることによって、利用者は、携帯端末に表示されたときにより適切な写りの単一画像を得ることができる。シール紙１６２に印刷したときに好ましい写りと、携帯端末のディスプレイに表示したときに好ましい写りが異なることもあり、また、携帯端末の機種毎に好ましい写りが異なることもあるから、利用者の機種を考慮して、携帯端末のディスプレイに表示したときに好ましい写りの単一画像を得ることができることになる。
【０１８０】
利用者により選択された写りと目の大きさに応じて画像処理を行った後、ステップＳ９１において、編集処理部２０３は単一画像の編集画面をタブレット内蔵モニタ６２に表示し、編集操作を受け付ける。
【０１８１】
図２７は、単一画像の編集画面の例を示す図である。
【０１８２】
単一画像の編集画面も、基本的に、図１６を参照して説明した撮影画像の編集画面と同じである。左画面２５１Ｌの上方の編集対象画像表示部３１１には、以上のようにしてトリミングにより切り出された画像が編集対象の画像として表示される。図２７の例においては、作成可能な単一画像の枚数が１枚とされている。
【０１８３】
複数の単一画像を作成し、編集を行うことができるようにしてもよい。この場合、撮影画像の編集画面に表示される図１６の画像選択部２４３Ｌと同様に、編集対象画像表示部３１１の上には、トリミングなどが行われることによって得られた複数の画像が縮小して表示され、その中から選択された画像が編集対象画像表示部３１１に拡大して表示される。
【０１８４】
編集対象画像表示部３１１の下にはコンテンツパレット３１４が表示される。コンテンツパレット３１４には手書き画像を入力するときに選択されるペンツール、スタンプ画像を入力するときに選択されるスタンプツールなどの各種の編集ツールのタブが表示されており、タブを選択することによって、編集ツールを切り替えることができるようになされている。利用者は、コンテンツパレット３１４から編集ツールを選択し、編集対象画像表示部３１１に表示されている編集対象の画像に文字や絵柄などを入力することができる。
【０１８５】
編集対象画像表示部３１１の左上には単一画像の編集を終了するときに操作される終了ボタン３１２が表示され、右側には、各種のボタンが表示されるボタン表示部３１３が表示される。図２７の例においては、編集をはじめからやり直すときに操作されるボタン、編集対象画像表示部３１１に入力した画像を部分的に消去するときに用いられる消しゴムボタン、編集の内容を一操作後の状態に戻すときに操作されるボタン、および、編集の内容を一操作前の状態に戻すときに操作されるボタンがボタン表示部３１３に表示されている。
【０１８６】
右画面２５１Ｒにも左画面２５１Ｌと同じ内容が表示されており、右画面２５１Ｒを使っている利用者により単一画像の編集が行われる。
【０１８７】
編集処理部２０３は、このような編集画面に対する編集操作を受け付け、受け付けた編集操作に応じた編集処理を、撮影画像から切り出し、選択された写りと目の大きさに応じて画像処理を施した画像に対して施す。編集処理を施して得られた画像を、ステップＳ８３において選択されたブログサイトのフォーマットに応じて縮小して得られた画像が、ブログ画像としての単一画像となる。
【０１８８】
すなわち、編集処理部２０３は、内部的に、撮影画像から所定の範囲をトリミングにより切り出し、切り出した画像に対して、利用者により選択された写りに応じた画像処理を施し、画像処理を施して得られた画像に対して、利用者により行われた編集操作に応じた編集処理を施し、さらに、編集処理を施して得られた画像を縮小して単一画像を生成する生成手段として機能することになる。単一画像は撮影画像から切り出された画像をさらに縮小して生成されるものであるため、携帯端末の画面に表示したときに画質のよい画像を単一画像として生成することが可能になる。
【０１８９】
単一画像の編集が終了したとき、図１３のステップＳ４２に戻り、それ以降の処理が行われる。
【０１９０】
一方、ステップＳ８５において、編集処理部２０３は、図２０の選択画面に対する利用者の操作に基づいて、ブログ画像の種類として複数セット画像を作成することが選択されたと判定した場合、ステップＳ９２において、複数セット画像の編集画面をタブレット内蔵モニタ６２に表示し、利用者による操作の受け付けを開始する。この例においては、ブログ画像の種類として複数セット画像を作成することが選択された場合、単一画像の場合とは異なり、画像のトリミングや写りの選択を行うことができないものとされている。複数セット画像を構成するそれぞれの撮影画像を対象として、トリミングや写りの選択を行うことができるようにすることも可能である。
【０１９１】
図２８は、複数セット画像の編集画面の例を示す図である。この例においては、左画面２５１Ｌを使って操作を行っている利用者と右画面２５１Ｒを使って操作を行っている利用者の双方がブログ画像の種類として複数セット画像を選択したものとされている。一方の利用者が単一画像を選択している場合、左画面２５１Ｌと右画面２５１Ｒのうちのその利用者が使っている画面にはトリミング画面（図２３）が表示される。
【０１９２】
左画面２５１Ｌのほぼ中央に形成される編集対象画像表示部３１１には、左画面２５１Ｌを使っている利用者が選択した複数セット画像の形状と、それを構成する撮影画像の配置を表す枠が表示される。図２８の例においては、左画面２５１Ｌを使っている利用者が、サンプル画像２８２−７により表される、横方向に２枚、縦方向に２枚の計４枚の撮影画像が配置されることによって構成されるほぼ正方形の形状を有する複数セット画像を図２０の選択画面から選択したものとされている。編集対象画像表示部３１１には、編集対象画像表示部３１１を計４つの領域に区切るように枠が表示されている。
【０１９３】
編集対象画像表示部３１１のうち、枠により区切られる左上の領域を領域Ａ１、右上の領域を領域Ａ２、左下の領域を領域Ａ３、右下の領域を領域Ａ４として説明する。各領域には、各領域に配置する画像を下のコンテンツパレット３１４に表示されている撮影画像の中から選択することを通知するメッセージが表示されている。
【０１９４】
左画面２５１Ｌのコンテンツパレット３１４には、単一画像の編集画面に表示されるコンテンツパレット３１４（図２７）とは異なり、利用者が選択した複数セット画像を構成する画像の枚数に応じて「４枚画」のタブが追加されている。タブの表示から、４枚の画像を選択すればよいことを利用者は確認することができる。「４枚画」のタブを選択したとき、撮影処理の終了時に編集対象として選択した６枚の撮影画像である撮影画像Ｐ１乃至Ｐ６を縮小させた画像と、所定の色や柄の画像である合成用画像がコンテンツパレット３１４に表示される。
【０１９５】
左画面２５１Ｌを使っている利用者はコンテンツパレット３１４に表示される撮影画像と合成用画像の中から所定の画像を選択し、続けて、選択した画像の配置先を領域Ａ１乃至Ａ４の中から選択することによって、領域Ａ１乃至Ａ４に好みの画像を配置して複数セット画像を作成することができる。例えば、撮影画像Ｐ１にタッチペン６３−１をあて、その状態のまま領域Ａ１にタッチペン６３−１の位置を移動させることによって、ドラッグアンドドロップの操作で、領域Ａ１に撮影画像Ｐ１を配置することができる。
【０１９６】
一方、右画面２５１Ｒの編集対象画像表示部３１１には、右画面２５１Ｒを使っている利用者が選択した複数セット画像の形状と、それを構成する撮影画像の配置を表す枠が表示される。図２８の例においては、右画面２５１Ｒを使っている利用者が、サンプル画像２８２−１１により表される、横方向に３枚の撮影画像から配置されることによって構成される長方形の形状を有する複数セット画像を図２０の選択画面から選択したものとされている。編集対象画像表示部３１１には３つの領域を囲む枠が表示されている。
【０１９７】
編集対象画像表示部３１１のうち、枠により区切られる左側の領域を領域Ａ１１、中央の領域を領域Ａ１２、右側の領域を領域Ａ１３として説明する。各領域には、各領域に配置する画像を下のコンテンツパレット３１４に表示されている撮影画像の中から選択することを通知するメッセージが表示されている。
【０１９８】
右画面２５１Ｒのコンテンツパレット３１４には、利用者が選択した複数セット画像を構成する画像の枚数に応じて「３枚画」のタブが追加されている。左画面２５１Ｌのコンテンツパレット３１４と同様に、「３枚画」のタブを選択したとき、撮影処理の終了時に編集対象として選択した６枚の撮影画像である撮影画像Ｐ１乃至Ｐ６を縮小させた画像と、所定の色や柄の画像である合成用画像が表示される。
【０１９９】
右画面２５１Ｒを使っている利用者は「３枚画」のタブを選択したときにコンテンツパレット３１４に表示される撮影画像と合成用画像の中から所定の画像を選択し、続けて、選択した画像の配置先を領域Ａ１１乃至Ａ１３の中から選択することによって、領域Ａ１１乃至Ａ１３に好みの画像を配置して複数セット画像を作成することができる。
【０２００】
このような複数セット画像の編集画面を表示した後、ステップＳ９３において、編集処理部２０３は、利用者の操作に従って撮影画像と合成用画像を組み合わせ、複数セット画像を作成する。複数セット画像を作成した後、ステップＳ９４において、編集処理部２０３は、利用者の操作に従って複数セット画像の編集を行う。
【０２０１】
図２９は、複数セット画像の編集画面の例を示す他の図である。図２９の左画面２５１Ｌにおいては、領域Ａ１に撮影画像Ｐ１が配置され、領域Ａ２と領域Ａ３にそれぞれ異なる合成用画像が配置されている。また、領域Ａ４に撮影画像Ｐ４が配置されている。左画面２５１Ｌを使っている利用者は、２枚の撮影画像と２枚の合成用画像を組み合わせて構成される複数セット画像に対して、タブを切り替えたときにコンテンツパレット３１４に表示されるペンツールやスタンプツールを使って編集を入力することができる。
【０２０２】
また、図２９の右画面２５１Ｒにおいては、領域Ａ１１に撮影画像Ｐ５が配置され、領域Ａ１２に合成用画像が配置されている。また、領域Ａ１３に撮影画像Ｐ３が配置されている。右画面２５１Ｒを使っている利用者は、２枚の撮影画像と１枚の合成用画像を組み合わせて構成される複数セット画像に対して、タブを切り替えたときにコンテンツパレット３１４に表示されるペンツールやスタンプツールを使って編集を入力することができる。
【０２０３】
複数セット画像の編集が終了した後、図１３のステップＳ４２に戻り、それ以降の処理が行われる。編集処理部２０３は、内部的に、撮影画像と合成画像を組み合わせ、組み合わせて得られた画像に対して、利用者により行われた編集操作に応じた編集処理を施し、さらに、編集処理を施して得られた画像を縮小して複数セット画像を生成することになる。
【０２０４】
このように、利用者は、タブレット内蔵モニタ６２のような比較的大きな画面を用いて、効率的に、複数の撮影画像を組み合わせて構成される複数セット画像を作成することができる。
【０２０５】
また、複数セット画像を携帯端末にダウンロードし、ブログ画像としてブログに掲載することによって、写真シール作成装置１を使って撮影した複数の画像を公開することが可能になる。通常、ブログに掲載できる画像の容量には制限があり、写真シール作成装置１を使って撮影した複数の画像を１枚ずつ掲載しようとすると大容量となり掲載できないことがあるが、複数セット画像は１枚の画像であるため、その掲載が容易になる。さらに、複数の撮影画像を１行に並べて構成される複数セット画像はブログ内のバナーなどにも使用することができ、複数セット画像の利用用途が広がることから、利用者の満足度を向上させることが可能になる。
【０２０６】
図１７のステップＳ８２おいて、図１８の選択画面において待ち受け画像作成ボタン２６２が操作されたことから、待ち受け画像の作成が選択されたと判定した場合、ステップＳ９５において、編集処理部２０３は、待ち受け画像作成画面をタブレット内蔵モニタ６２に表示し、利用者による操作の受け付けを開始する。
【０２０７】
図３０は、待ち受け画像作成画面の例を示す図である。この例においては、左画面２５１Ｌを使っている利用者は図１８の選択画面から待ち受け画像の作成を選択し、右画面２５１Ｒを使っている利用者はブログ画像の作成を選択したものとされている。右画面２５１Ｒには、図２７の右画面２５１Ｒを参照して説明したものと同じ情報が表示されている。
【０２０８】
左画面２５１Ｌの上方には画像選択部３３２が形成され、ここには、撮影処理後に編集対象として選択された６枚の撮影画像がそれぞれ縮小して表示される。画像選択部３３２から選択された撮影画像が、編集対象の画像として、画像選択部３３２の下の編集対象画像表示部３３１に拡大して表示される。
【０２０９】
編集対象の撮影画像にはトリミング枠３３１Ａが重ねて表示される。編集対象画像表示部３３１の下には範囲選択部３３５が表示され、範囲選択部３３５の下には形状選択部３３６が表示される。トリミング枠３３１Ａの大きさが、範囲選択部３３５に表示されている例えば５段階の広さの中から選択され、トリミング枠３３１Ａの形状が、形状選択部３３６に表示されている例えば５種類の形状の中から選択される。
【０２１０】
トリミング枠３３１Ａの大きさと形状が選択されたとき、編集対象の撮影画像のうちのトリミング枠３３１Ａ内の範囲が表示部３３３に表示される。表示部３３３は、携帯電話機の外観を表す画像のうちのディスプレイの部分に形成されている。例えば、トリミング枠３３１Ａの大きさと形状が選択され、決定ボタン３３４が操作されたとき、編集対象の撮影画像のうちのトリミング枠３３１Ａ内の範囲が編集処理部２０３により切り出される。
【０２１１】
ステップＳ９６において、編集処理部２０３は、このような待ち受け画像作成画面に対する利用者の操作に従って待ち受け画像のトリミングを行う。
【０２１２】
ステップＳ９７において、編集処理部２０３は、待ち受け画像の編集画面をタブレット内蔵モニタ６２に表示し、利用者の編集操作を受け付け、待ち受け画像を編集する。待ち受け画像の編集画面はブログ画像の編集画面と同じである。待ち受け画像の編集が終了した後、図１３のステップＳ４２に戻り、それ以降の処理が行われる。
【０２１３】
編集処理部２０３は、内部的に、撮影画像のトリミングを行い、トリミングによって切り出した画像に対して、利用者により行われた編集操作に応じた編集処理を施し、さらに、編集処理を施して得られた画像を縮小して待ち受け画像を生成することになる。
【０２１４】
以上のように、利用者は、携帯送信の機能を利用することを選択したときには、ブログ画像または待ち受け画像の作成を撮影画像の印刷が終わるのを待つ間に行うことができる。また、携帯送信の機能を利用することを選択し、さらに、ブログ画像の作成を選択したときには、単一画像、または複数セット画像を作成することができる。
【０２１５】
［画面表示の例］
以上においては、ケータイおまけ作成処理の開始時に画像の種類を選択させ（図１７のステップＳ８１）、その後で、ブログ画像の種類と形状を選択させる（ステップＳ８４）ものとしたが、それらの選択を、図３１の左端の選択画面Ａ１のような１つの画面から行わせるようにしてもよい。選択画面Ａ１を図３２に示す。
【０２１６】
図３２に示すように、選択画面Ａ１は、ブログ画像選択部Ａ１１と待ち受け画像選択部Ａ１２から構成される。ブログ画像選択部Ａ１１には、サンプル画像３５１−１乃至３５１−６が２行３列に並べて表示される。
【０２１７】
サンプル画像３５１−１乃至３５１−６は、ブログ画像をブログに掲載したときのイメージを表す画像である。利用者は、サンプル画像３５１−１乃至３５１−６を見てイメージを確認し、その下に表示されているボタン（「コレを作る」の文字が表示されているボタン）を操作することによって、作成するブログ画像の種類を単一画像とするのか複数セット画像とするのかと、ブログ画像の形状を選択する。
【０２１８】
サンプル画像３５１−１は、縦方向の長さに対して横方向の長さが若干長い形状を有する単一画像を表す画像である。サンプル画像３５１−１とともに破線で囲んで示すサンプル画像３５１−２乃至３５１−４も単一画像を表す画像であり、それぞれ、形状の異なる単一画像をブログに掲載したときのイメージを表す。
【０２１９】
サンプル画像３５１−５は、横方向に２枚、縦方向に２枚の計４枚の撮影画像を配置することによって構成される複数セット画像を表す画像である。サンプル画像３５１−５とともに破線で囲んで示すサンプル画像３５１−６も複数セット画像を表す画像であり、サンプル画像３５１−５により表される複数セット画像と形状の異なる複数セット画像をブログに掲載したときのイメージを表す。
【０２２０】
一方、待ち受け画像選択部Ａ１２には、サンプル画像３６１−１および３６１−２が縦に並べて表示される。サンプル画像３６１−１および３６１−２は、待ち受け画面に設定したときのイメージを表す画像である。利用者は、サンプル画像３６１−１および３６１−２を見てイメージを確認し、その下に表示されているボタンを操作することによって、待ち受け画像の形状を選択する。この例においては、サンプル画像３６１−１によりイメージが表される待ち受け画像は、サンプル画像３６１−２によりイメージが表される待ち受け画像よりサイズが小さい画像とされている。
【０２２１】
このような構成を有する選択画面Ａ１がタブレット内蔵モニタ６２の左画面２５１Ｌと右画面２５１Ｒに適宜表示され、作成する画像の種類をブログ画像とするのか待ち受け画像とするのかと、ブログ画像を作成する場合には種類（単一画像または複数セット画像）と形状が選択される。
【０２２２】
図３１の説明に戻り、選択画面Ａ１において例えばサンプル画像３５１−１の下に表示されているボタンが操作されるなどしてブログ画像のうちの単一画像を作成することが選択された場合、矢印＃１の先に示すトリミング画面Ａ２が表示される。トリミング画面Ａ２は図２３を参照して説明したトリミング画面と基本的に同じ画面である。
【０２２３】
トリミング画面Ａ２において単一画像のトリミングが行われた後、矢印＃２の先に示す編集画面Ａ３が表示される。編集画面Ａ３においては、編集だけでなく、単一画像の写りの選択も行われる。編集画面Ａ３を図３３に示す。編集画面Ａ３は、コンテンツパレット３１４に「写り」のタブが追加されている点を除いて、図２７を参照して説明した編集画面と同じである。利用者は、「写り選択」のタブを選択したときにコンテンツパレット３１４に表示されるボタンを用いて、「３Ｄ」、「くっきり」のような写りと、目の大きさを選択することができる。
【０２２４】
一方、選択画面Ａ１から、例えばサンプル画像３５１−５の下に表示されているボタンが操作されるなどしてブログ画像のうちの複数セット画像を作成することが選択された場合、矢印＃３の先に示す複数セット画像の作成画面Ａ４が表示される。複数セット画像の作成画面Ａ４は図２８を参照して説明した作成画面と基本的に同じ画面である。
【０２２５】
選択画面Ａ１から、サンプル画像３６１−１または３６１−２の下に表示されているボタンが操作されるなどして待ち受け画像を作成することが選択された場合、図３４の矢印の先に示す待ち受け画像作成画面Ａ１１が表示される。
【０２２６】
このような画面遷移によってブログ画像または待ち受け画像の作成が進められるようにすることも可能である。
【０２２７】
［変形例］
以上においては、ブログ画像の作成を選択した場合、単一画像と複数セット画像のいずれかの画像を作成することができるものとしたが、両方の画像を作成することができるようにしてもよい。
【０２２８】
また、以上においては、携帯送信用画像がサーバ経由で携帯端末に送信されるものとしたが、赤外線通信や非接触型ICを用いた通信などの近距離の通信によって、直接、写真シール作成装置１から携帯端末に携帯送信用画像が送信されるようにしてもよい。
【０２２９】
ケータイおまけ作成処理においてブログサイトを利用者に選択させ、選択されたブログサイトに応じたサイズのブログ画像を作成するものとしたが、ブログサイトを選択させずに、一定のサイズのブログ画像を作成し、サーバに送信するようにしてもよい。
【０２３０】
この場合、ブログ画像の保存先URLを含む電子メールを受け取った利用者は、例えば保存先URLにアクセスしてブログ画像をダウンロードする際に、自身が利用するブログサイトを選択する。サーバにおいては、ダウンロードが指示されたブログ画像に対して、利用者により選択されたブログサイトに応じたサイズの画像に変換する処理や、最も適した画面の色合いや明るさの画像に変換する処理などが適宜施され、それらの処理を施して得られた画像を携帯端末に送信することが行われる。
【０２３１】
これにより、ケータイおまけ作成処理時に利用者がブログサイト名を忘れていたとしても、後から思い出したときに適切なサイズのブログ画像を携帯端末にダウンロードすることができる。
【０２３２】
上述したように、ブログ画像の作成時、画像のトリミング、写りの選択、編集などの作業を利用者は行うことになるが、それらの作業が早く終わり、制限時間が残っている場合、ブログに記載する日記やつぶやきなどをタブレット内蔵モニタ６２の画面を用いて入力することができるようにしてもよい。この場合、例えば事後接客処理部２０５は、利用者により入力されたテキストのファイルを、ブログ画像やメールアドレスとともにサーバに送信することになる。サーバにおいては、ブログ画像とテキストファイルが対応付けて保存され、保存先URLを含む電子メールを受け取った利用者によりブログ画像のダウンロードが要求された場合、ブログ画像とテキストファイルを携帯端末に送信することが行われる。
【０２３３】
これにより、利用者は、ブログに掲載する画像を取得するだけでなく、ブログに掲載する日記などのテキストをも写真シール作成装置１において作成することができ、写真シール作成装置１で遊び終えてすぐにブログを公開することができる。
【０２３４】
写りの種類を選択させる際に、利用者の携帯端末の機種やメーカーも選択させ、選択された写りの種類だけでなく、選択された機種やメーカーに応じてパラメータが設定され、ブログ画像や待ち受け画像などに対して画像処理が施されるようにしてもよい。これにより、利用者は自身の携帯端末に合った画像を得ることが可能になる。携帯端末の機種やメーカーの選択は、メールアドレスの入力時や、ブログサイトの選択時に行わせるようにすることが可能である。
【０２３５】
携帯送信用画像をメールアドレスとともにサーバに送信する際に、携帯端末のIDがサーバに送信されるようにしてもよい。サーバにおいては、写真シール作成装置１から送信されてきたIDに基づいて携帯端末の機種やメーカーが特定され、特定された機種やメーカーに応じてパラメータを設定し、適した写りになるように画像処理が施される。これにより、利用者は携帯端末の機種やメーカーを自ら入力する必要がない。なお、上述したようにして写りの雰囲気や目のサイズのパラメータを画像を指定して選択画面から選択する場合において、選択画面において選択できる画像は、携帯端末の人気のある機種もしくはメーカーの順位を考慮し、上位複数の機種やメーカーの携帯端末の画面の明るさや色合いに応じて画像処理を行った画像などのように所定の条件に応じて処理を行った画像としてもよい。これにより、上位複数の機種やメーカーの携帯端末の画面の明るさや色合いに適したパラメータを選択させることが可能となり、より確実に携帯端末に適した写りの画像を提供することができる。
【０２３６】
なお、通信不可の店舗に設置されていることから写真シール作成装置１がサーバと通信を行うことができない場合、携帯送信の機能の利用を自動的に選択できないようにしてもよい。
【０２３７】
本発明の実施の形態は、上述した実施の形態に限定されるものではなく、本発明の要旨を逸脱しない範囲において種々の変更が可能である。
【符号の説明】
【０２３８】
１  写真シール作成装置，  １２  撮影ユニット，  １３  編集ユニット，  １０１  制御部，  １１１  事前接客部，  １１２  撮影部，  １１３  編集部，  ２０１  事前接客処理部，  ２０２  撮影処理部，  ２０３  編集処理部，  ２０４  印刷処理部，  ２０５  事後接客処理部
【図１】
0005545340.tif 000002
【図２】
0005545340.tif 000003
【図３】
0005545340.tif 000004
【図４】
0005545340.tif 000005
【図５】
0005545340.tif 000006
【図６】
0005545340.tif 000007
【図７】
0005545340.tif 000008
【図８】
0005545340.tif 000009
【図９】
0005545340.tif 000010
【図１０】
0005545340.tif 000011
【図１１】
0005545340.tif 000012
【図１２】
0005545340.tif 000013
【図１３】
0005545340.tif 000014
【図１４】
0005545340.tif 000015
【図１５】
0005545340.tif 000016
【図１６】
0005545340.tif 000017
【図１７】
0005545340.tif 000018
【図１８】
0005545340.tif 000019
【図１９】
0005545340.tif 000020
【図２０】
0005545340.tif 000021
【図２１】
0005545340.tif 000022
【図２２】
0005545340.tif 000023
【図２３】
0005545340.tif 000024
【図２４】
0005545340.tif 000025
【図２５】
0005545340.tif 000026
【図２６】
0005545340.tif 000027
【図２７】
0005545340.tif 000028
【図２８】
0005545340.tif 000029
【図２９】
0005545340.tif 000030
【図３０】
0005545340.tif 000031
【図３１】
0005545340.tif 000032
【図３２】
0005545340.tif 000033
【図３３】
0005545340.tif 000034
【図３４】
0005545340.tif 000035